(57)【特許請求の範囲】
【請求項１】
幹線側絶縁筒内に、架空ケーブル同士を接続するπ分岐プラグインコネクタ・レセップを取り付け、その分岐プラグインコネクタ・レセップに、分岐ケーブル用の分岐側チューリップコンタクトとトランス分岐用のＴｒ分岐側チューリップコンタクトとを接続し、幹線側絶縁筒に、上記分岐側チューリップコンタクトを隙間を設けて収容する分岐側絶縁筒とＴｒ分岐側チューリップコンタクトを収容するＴｒ分岐側絶縁筒とを形成し、かつ上記幹線側絶縁筒とＴｒ分岐側絶縁筒の接続部に、Ｔｒ分岐側チューリップコンタクトの移動を防止する固定部分を形成した高圧架空接続体において、上記分岐ケーブル用の分岐側絶縁筒と分岐側チューリップコンタクトとの間にその分岐側絶縁筒内径と同じ外径を持つ分岐側チューリップコンタクト用カラーを挿入すると共に、π分岐プラグインコネクタ・レセップに上記カラーを嵌合する凹部を予め形成し、上記カラーを凹部に挿入すると共に分岐側チューリップコンタクトを固定したことを特徴とする高圧架空接続体。
【発明の詳細な説明】
【発明の属する技術分野】
【０００１】
本発明は、架空ケーブルを接続するための高圧架空接続体に係り、該高圧架空接続体に、分岐ケーブルと変圧器用引出し線等のトランス用分岐ケーブルとを接続するための高圧架空接続体に関するものである。
【従来の技術】
【０００２】
高圧架空ケーブルは、そのケーブル同士を高圧架空接続体で接続して柱上に架空され、その高圧架空接続体に柱上変圧器や他の引出線用のケーブルを接続すべくトランス用分岐ケーブルや分岐ケーブルが接続できるようになっている。
【０００３】
図４は、分岐ケーブルとトランス用分岐ケーブルを接続するためのπ分岐型の高圧架空接続体を示すものである。
【０００４】
図４に示すように、π分岐型の高圧架空接続体は、絶縁材料によって筒状に形成された幹線側絶縁筒１ａと、その内部に取り付けられる導体のπ分岐プラグインコネクタ・レセップ２と、このπ分岐プラグインコネクタ・レセップ２の長手方向両側に設けられる幹線部チューリップコンタクト４、４と、π分岐プラグインコネクタ・レセップ２の一端側の側面に取り付けられる分岐側チューリップコンタクト３と、同じくπ分岐プラグインコネクタ・レセップ２の他端側の側面に取り付けられるＴｒ分岐側チューリップコンタクト６と、上記幹線側絶縁筒１ａの側面に一体に形成された、上記分岐側チューリップコンタクト３を収容する分岐側絶縁筒１ｂと、同じく上記幹線側絶縁筒１ａの側面に一体に形成された、Ｔｒ分岐側チューリップコンタクト６を収容するＴｒ分岐側絶縁筒１ｃとにより構成される。
【０００５】
上記幹線部チューリップコンタクト４、４は、プラグを取り付けた高圧幹線ケーブル（図示せず。）を接続して固定するために設けられるもので、分岐側チューリップコンタクト３は、プラグを取り付けた分岐ケーブル（図示せず。）を接続して固定するために設けられるものである。
【０００６】
この幹線部チューリップコンタクト４は、図５に示すように、π分岐プラグインコネクタ・レセップ２の両端に設けられる凸部１３に嵌合される。また、分岐側及びＴｒ分岐側チューリップコンタクト３、６については、まず、図４、図５に示すように、π分岐プラグインコネクタ・レセップ２上に予め凹部１２が設けられ、この凹部１２に固定部材９ａ、９ｂが取り付けられる。その上で、この固定部材９ａ、９ｂの凸部１６にこれらチューリップコンタクト３、６が嵌合されることとなる。
【０００７】
そして、高圧幹線及び分岐ケーブルがこれらチューリップコンタクト３、４により固定接続されることで、分岐ケーブルが高圧幹線ケーブルに電気的に接続されることとなる。
【０００８】
一方、Ｔｒ分岐側チューリップコンタクト６には、図６に示すような外部被膜Ｃ１と導体Ｃ２によって構成されるトランス用分岐ケーブルＣに取り付けられるオス側接続材料端末８が接続されて、Ｔｒ分岐側チューリップコンタクト６とオス側接続材料端末８により、トランス用分岐ケーブルＣが高圧幹線ケーブルに電気的に接続されることとなる。
【０００９】
このオス側接続材料端末８は、中心線Ａを中心とした同軸円筒状に形成された細長い導体で、通電部品８ａ、８ｂ間に隙間８ｃが形成されるものである。そして、このオス側接続材料端末８は、図４に示すＴｒ分岐側チューリップコンタクト６が隙間８ｃに嵌まるように挿入されて接続される。
【００１０】
以上により、高圧架空接続体は、電力を高圧幹線ケーブルから分岐ケーブル及びトランス用分岐ケーブルＣに供給することができる。
【００１１】
ところで、上記分岐側チューリップコンタクト３は、上記のように分岐ケーブルに取り付けられたプラグをチューリップコンタクト３に挿入すると、チューリップコンタクト３自体に膨らみが生じるということと、挿入するケーブルの外径とを考慮して、チューリップコンタクト３と分岐側絶縁筒１ｂとの間に図４、図５に示すような隙間を予め設ける必要がある。
【００１２】
よって、図４に示すように、上記π分岐プラグインコネクタ・レセップ２が幹線側絶縁筒１ａ内で移動せずに固定されるには、Ｔｒ分岐側チューリップコンタクト６をゴム製の固定部分７で締付け固定する必要があった。
【発明が解決しようとする課題】
【００１３】
しかしながら、この従来の方法では、π分岐プラグインコネクタ・レセップ２は、上記のごとくＴｒ分岐側チューリップコンタクト６を固定部分７で締付けて固定されるのみであり、幹線部チューリップコンタクト４、４に強い力が加わると、固定部分７がゴム製であるため、π分岐プラグインコネクタ・レセップ２が上記隙間の分だけ長手方向にズレてしまう問題がある。このようにズレると、細長いＴｒ分岐側チューリップコンタクト６が上記固定部分７を支点として偏心し、この状態でオス側接続材料端末８がＴｒ分岐側チューリップコンタクト６に接続されると、Ｔｒ分岐側チューリップコンタクト６にオス側接続材料端末８の通電部品８ａ、８ｂが上手く挿入されず、Ｔｒ分岐側チューリップコンタクト６とオス側接続材料端末８との間で接触不良を生じる場合があった。
【００１４】
そこで、本発明の目的は、上記課題を解決し、π分岐プラグインコネクタ・レセップがズレないように幹線側絶縁筒内に固定されることで、Ｔｒ分岐側チューリップコンタクトの偏心を防ぎ、オス側接続材料端末の通電部品の接触不良を解消する高圧架空接続体を提供することにある。
【課題を解決するための手段】
【００１５】
上記目的を達成するために、本発明は、幹線側絶縁筒内に、架空ケーブル同士を接続するπ分岐プラグインコネクタ・レセップを取り付け、その分岐プラグインコネクタ・レセップに、分岐ケーブル用の分岐側チューリップコンタクトとトランス分岐用のＴｒ分岐側チューリップコンタクトとを接続し、幹線側絶縁筒に、上記分岐側チューリップコンタクトを隙間を設けて収容する分岐側絶縁筒とＴｒ分岐側チューリップコンタクトを収容するＴｒ分岐側絶縁筒とを形成し、かつ上記幹線側絶縁筒とＴｒ分岐側絶縁筒の接続部に、Ｔｒ分岐側チューリップコンタクトの移動を防止する固定部分を形成した高圧架空接続体において、上記分岐ケーブル用の分岐側絶縁筒と分岐側チューリップコンタクトとの間にその分岐側絶縁筒内径と同じ外径を持つ分岐側チューリップコンタクト用カラーを挿入すると共に、π分岐プラグインコネクタ・レセップに上記カラーを嵌合する凹部を予め形成し、上記カラーを凹部に挿入すると共に、分岐側チューリップコンタクトを固定したことを特徴とする高圧架空接続体である。
【発明の実施の形態】
【００１６】
以下、本発明の好適一実施の形態を添付図面に基づいて詳述する。
【００１７】
図１〜図３により本発明の一実施の形態を説明する。
【００１８】
図１に示すように、本発明の高圧架空接続体は、絶縁材料によって筒状にモールド形成された幹線側絶縁筒１ａと、その内部に取り付けられる柱状に形成された導体のπ分岐プラグインコネクタ・レセップ２と、このπ分岐プラグインコネクタ・レセップ２の長手方向両側に設けられ、高圧幹線ケーブル（図示せず。）が接続される幹線部チューリップコンタクト４、４と、π分岐プラグインコネクタ・レセップ２の一端側の側面に取り付けられ、分岐ケーブル（図示せず。）が接続される分岐側チューリップコンタクト３と、同じくπ分岐プラグインコネクタ・レセップ２の他端側の側面に取り付けられ、トランス用分岐ケーブル（図示せず。）が接続されるＴｒ分岐側チューリップコンタクト６と、絶縁材料によって筒状にモールド形成され、且つ、上記幹線側絶縁筒１ａの一端側の側面に垂直に一体に形成された、上記分岐側チューリップコンタクト３を隙間をもって収容する分岐側絶縁筒１ｂと、同じく絶縁材料が筒状にモールド形成され、且つ、上記幹線側絶縁筒１ａの他端側の側面に垂直に一体に形成された、Ｔｒ分岐側チューリップコンタクト６を収容するＴｒ分岐側絶縁筒１ｃと、上記幹線側絶縁筒１ａとＴｒ分岐側絶縁筒１ｃの接続部に形成され、Ｔｒ分岐側チューリップコンタクト６の移動を防止するゴム製の固定部分７とにより構成される。
【００１９】
そして、本発明の高圧架空接続体は、上記した高圧幹線ケーブル、分岐ケーブル及びトランス用分岐ケーブルが、幹線部チューリップコンタクト４、分岐側チューリップコンタクト３及びＴｒ分岐側チューリップコンタクト６にそれぞれ接続されるものであり、分岐ケーブル及びトランス用分岐ケーブルがπ分岐プラグインコネクタ・レセップ２を介して高圧幹線ケーブルに電気的に接続されて使用されるものである。
【００２０】
この高圧幹線及びトランス用分岐ケーブルを接続する部分の詳細を図２により説明する。
【００２１】
まず、π分岐プラグインコネクタ・レセップ２の長手方向両端に凸部１３が設けられ、この凸部１３に幹線部チューリップコンタクト４が嵌合される。この幹線部チューリップコンタクト４の両端にスプリング１１が取り付けられてコンタクト４の開きが防止され、その一端ではスプリング１１が幹線部チューリップコンタクト４を凸部１３に固定する。幹線部チューリップコンタクト４の内部にはスプリングワッシャ１４が嵌め込まれると共に、止めネジ１０がこのスプリングワッシャ１４を挿通した状態で凸部１３にねじ込まれる。つまり、幹線部チューリップコンタクト４が抜け出さないように、スプリング１１とスプリングワッシャ１４がコンタクト４を押さえている。
【００２２】
そして、上述したプラグを取り付けた高圧幹線ケーブルは、この幹線部チューリップコンタクト４内に差し込まれて、このプラグが幹線部チューリップコンタクト４に接触した状態でスプリング１１により固定される。このようにして、図４に示すようなπ分岐プラグインコネクタ・レセップ２の両側の幹線部チューリップコンタクト４、４に２本の高圧幹線ケーブルが接続されて幹線を成すと共に、この接続部が高圧架空接続体によって分岐可能な状態に構成されることとなる。
【００２３】
また、Ｔｒ分岐側チューリップコンタクト６について、従来と同様、図６に示すような外部被膜Ｃ１と導体Ｃ２によって構成されるトランス用分岐ケーブルＣに、通電部品８ａ、８ｂと隙間８ｃを有するオス側接続材料端末８が取り付けられ、このオス側接続材料端末８は、隙間８ｃに図４に示すＴｒ分岐側チューリップコンタクト６が嵌まるように挿入されて、トランス用分岐ケーブルＣが高圧幹線ケーブルに電気的に接続されることとなる。
【００２４】
一方、分岐ケーブルをπ分岐プラグインコネクタ・レセップ２に接続する部分は、同じく図２に示すようになっている。
【００２５】
図２に示すように、本発明では、分岐ケーブルがπ分岐プラグインコネクタ・レセップ２に接続されるのに際して、予めπ分岐プラグインコネクタ・レセップ２に分岐側絶縁筒１ｂ（図１）の内径と等しい内径を有する凹部１２が設けられ、この凹部１２及び分岐側絶縁筒１ｂの内径と等しい外径を持つ分岐側チューリップコンタクト用カラー５が凹部１２に嵌め込まれる。
【００２６】
この分岐側チューリップコンタクト用カラー５は図３に示すような円筒形で、一方の底面にカラー固定部材９の挿通する穴５ａを設けたドーナツ状の蓋５ｂが一体に形成される。カラー５の内径は、分岐ケーブルを取り付ける際の分岐側チューリップコンタクト３の若干の膨らみと、分岐ケーブルの外部被膜の外径とを許容する程度の隙間を有するように形成される。そして、このカラー５は、蓋５ｂ側を図２に示す凹部１２に嵌め込まれ、カラー取り付けワッシャ−１５を挿通したカラー固定部材９により固定される。
【００２７】
このカラー固定部材９は、ネジ部１７、鍔部１８及び凸部１６によって構成され、カラー固定部材９が取り付けられるのに、予め凹部１２にネジ穴１９が設けられて、上記カラー５の穴５ａ及びカラー取り付けワッシャ−１５を挿通したカラー固定部材９のネジ部１７がネジ穴１９にねじ込み固定される。このようにして、カラー５が凹部１２に固定される。
【００２８】
そして、このカラー固定部材９の凸部１６に、上述したように分岐側チューリップコンタクト３が嵌合して取り付けられた上で、スプリング１１によってこの分岐側チューリップコンタクト３が固定される。一方、この分岐側チューリップコンタクト３の他端には、スプリング１１が分岐側チューリップコンタクト３の開きを防止するように取り付けられている。
【００２９】
また、この分岐側チューリップコンタクト３の内部にはスプリングワッシャ１４が嵌め込まれると共に、止めネジ１０がスプリングワッシャ１４を挿通した状態でカラー固定部材９の凸部１６にねじ込まれる。つまり、分岐側チューリップコンタクト３が抜け出さないように、スプリング１１とスプリングワッシャ１４が分岐側チューリップコンタクト３を押さえている。
【００３０】
このような分岐ケーブルの接続部分において、プラグを取り付けた分岐ケーブルは、分岐側チューリップコンタクト３内に差し込まれて、分岐ケーブルの導体が分岐側チューリップコンタクト３に接触した状態で、スプリング１１により分岐ケーブルが固定される。
【００３１】
以上のように、この分岐ケーブルがπ分岐プラグインコネクタ・レセップ２に接続されて、上記トランス用分岐ケーブルＣへの分岐と併せて高圧架空接続体の分岐部が形成され、本発明のπ分岐型の高圧架空接続体が構成される。
【００３２】
次に本発明の作用を述べる。
【００３３】
本発明では、上記π分岐プラグインコネクタ・レセップ２の凹部１２と分岐側絶縁筒１ｂの内径と等しい外径を持つ分岐側チューリップコンタクト用カラー５が凹部１２に嵌め込まれ、カラー固定部材９によりカラー５がπ分岐プラグインコネクタ・レセップ２に固定されることで、分岐側チューリップコンタクト３とカラー５との間の隙間にかかわらず、π分岐プラグインコネクタ・レセップ２が絶縁筒１に固定される。これにより、幹線部チューリップコンタクト４、４に強い力が加わっても、π分岐プラグインコネクタ・レセップ２がズレず、Ｔｒ分岐側チューリップコンタクト６に偏心を生じることがなくなる。
【００３４】
従って、Ｔｒ分岐側チューリップコンタクト６とオス側接続材料端末とが良好に接触され、接触不良を生じることがなくなる。
【発明の効果】
【００３５】
以上要するに本発明によれば、π分岐プラグインコネクタ・レセップに分岐側絶縁筒内径と等しい内径を有する凹部が予め設けられた上で、これら凹部及び分岐側絶縁筒の内径と等しい外径を持つ分岐側チューリップコンタクト用カラーが凹部に嵌め込まれ、このカラーをカラー固定部材でねじ込み固定することで、π分岐プラグインコネクタ・レセップが幹線側絶縁筒内に固定される。これにより、分岐側チューリップコンタクトとカラーとの間の隙間にかかわらず、π分岐プラグインコネクタ・レセップが幹線側絶縁筒にズレないように固定され、幹線部チューリップコンタクトに強い力が加わっても、ズレを生じることがなく、Ｔｒ分岐側チューリップコンタクトが偏心しない。
【００３６】
従って、オス側接続材料端末がＴｒ分岐側チューリップコンタクトに接続された際、Ｔｒ分岐側チューリップコンタクトにオス側接続材料端末の通電部品が上手く挿入され、これらＴｒ分岐側チューリップコンタクトとオス側接続材料端末の通電部品とが良好に接触され、接触不良を生じることがなくなる。
【図面の簡単な説明】
【００３７】
【図１】本発明の一実施形態の内部構造図である。
【図２】本発明のケーブル接続方法を説明する図である。
【図３】本発明の分岐側チューリップコンタクト用カラーの外観図である。
【図４】本発明のもととなる従来技術の内部構造図である。
【図５】本発明のもととなる従来技術のケーブル接続方法を説明する図である。
【図６】本発明のもととなる従来技術のオス側接続材料端末の断面図である。
【符号の説明】
【００３８】
１  絶縁筒
１ａ  幹線側絶縁筒
１ｂ  分岐側絶縁筒
１ｃ  Ｔｒ分岐側絶縁筒
２  π分岐プラグインコネクタ・レセップ
３  分岐側チューリップコンタクト
４  幹線部チューリップコンタクト
５  分岐側チューリップコンタクト用カラー
６  Ｔｒ分岐側チューリップコンタクト
７  固定部分
９  カラー固定部材
９ｂ  固定部材
１２  凹部
【図１】
0003562336.tif 000002
【図２】
0003562336.tif 000003
【図３】
0003562336.tif 000004
【図４】
0003562336.tif 000005
【図５】
0003562336.tif 000006
【図６】
0003562336.tif 000007